(57)【要約】  画像表示装置にかかる処理負荷を軽減するために、画像データ送信システム1は、画像付帯情報と画像実体情報を有する医用画像データをネットワーク5に送信する医用画像生成装置2と、ネットワーク5に送信された画像付帯情報を受信する画像表示装置3と、ネットワーク5に送信された画像付帯情報と画像実体情報を受信する記憶装置4と、画像表示装置3に設けられ、前記受信された画像付帯情報を用いて記憶装置4に前記画像実体情報の送信要求を行って、送信要求に従ってネットワーク5に送信された画像実体情報を受信し、受信された画像実体情報と前記画像付帯情報から形成される医用画像データを取得する画像データ取得部34と、記憶装置4に設けられ、前記送信要求された画像付帯情報に対応する画像実体情報をネットワーク5に送信する画像データ送信部41と、を備える。
2014097950.tif 000002
【特許請求の範囲】
【請求項１】
画像付帯情報と画像実体情報を有する医用画像データをネットワークに送信する医用画像生成装置と、
前記ネットワークに送信された画像付帯情報を受信する画像表示装置と、
前記ネットワークに送信された画像付帯情報と画像実体情報を受信する記憶装置と、
前記画像表示装置に設けられ、前記受信された画像付帯情報を用いて前記記憶装置に前記画像実体情報の送信要求を行う画像データ取得部と、
前記記憶装置に設けられ、前記送信要求された画像付帯情報に対応する画像実体情報をネットワークに送信する画像データ送信部と、
を備え、
前記画像データ取得部は、前記画像データ送信部から送信された画像実体情報を受信し、受信された画像実体情報と前記画像付帯情報から形成される医用画像データを取得することを特徴とする画像データ送信システム。
【請求項２】
前記医用画像生成装置は、前記画像付帯情報を送信する画像付帯情報送信部を備え、
前記画像表示装置は、前記画像付帯情報を格納する画像付帯情報記憶部を備え、
前記画像付帯情報送信部は、前記画像付帯情報とともに前記医用画像データの保管先情報を前記画像付帯情報記憶部に送信し、
前記画像付帯情報記憶部は、前記画像付帯情報送信部により送信された画像付帯情報を受信し、受信した前記画像付帯情報と前記保管先情報とを対応付けて記憶することを特徴とする請求項1に記載の画像データ送信システム。
【請求項３】
前記画像表示装置は、前記記憶装置に所望の医用画像データの前記画像付帯情報と前記保管先情報を送信し、送信した保管先情報に基づいて所望の医用画像データの画像実体情報を取得するための画像データ送信要求を送信し、前記画像データ送信部は、前記画像データ送信要求により、前記画像表示装置に対して画像実体情報を送信することを特徴とする請求項2に記載の画像データ送信システム。
【請求項４】
前記ネットワークに接続され、前記医用画像データの画像IDと前記医用画像データの保管先情報とが対応づけられた画像保管先管理テーブルを保管する画像管理用端末を更に備えることを特徴とする請求項1に記載の画像データ送信システム。
【請求項５】
前記画像表示装置は、前記画像IDに対応する保管先情報を前記画像管理用端末に問い合わせることにより前記保管先情報を取得し、取得された前記保管先情報に基づいて画像実体情報を取得することを特徴とする請求項4に記載の画像データ送信システム。
【請求項６】
前記画像表示装置は、前記医用画像生成装置から送信される前記医用画像データの画像付帯情報の整合性の有無を判定する整合性判定部を更に備えることを特徴とする請求項1に記載の画像データ送信システム。
【請求項７】
前記整合性判定部による判定は、前記医用画像データが前記記憶装置に保管された後で行われ、
整合性があると判定された場合は、前記画像表示装置は受信した画像付帯情報を格納し、
整合性がないと判定された場合は、前記画像表示装置は前記医用画像生成装置に当該医用画像データの消去指示を送ることを特徴とする請求項6に記載の画像データ送信システム。
【請求項８】
前記整合性判定部による判定は、前記医用画像データが前記記憶装置に送信される前に行われて、判定結果は前記医用画像生成装置に送信され、
整合性があると判定された場合は、前記医用画像生成装置は医用画像データを前記記憶装置に送信し、
整合性がないと判定された場合は、前記医用画像生成装置は次の医用画像データの処理に移行することを特徴とする請求項6に記載の画像データ送信システム。
【請求項９】
前記医用画像生成装置は、複数の画像表示装置に対して同一の画像付帯情報を送信するとともに、当該画像付帯情報を格納することを特徴とする請求項1に記載の画像データ送信システム。
【請求項１０】
前記医用画像生成装置は、生成された医用画像データを一定期間記憶しておく一次記憶部を更に有しており、前記一次記憶部に医用画像データが存在することが検知されると、当該医用画像データを前記記憶装置へ送信することを特徴とする請求項1に記載の画像データ送信システム。
【請求項１１】
前記医用画像生成装置は、生成された医用画像データを前記記憶装置へ送信し、
前記医用画像生成装置は、前記記憶装置に前記医用画像データが記憶されたことを確認した後で、前記医用画像データの画像付帯情報を送信することを特徴とする請求項1に記載の画像データ送信システム。
【請求項１２】
前記医用画像生成装置は、前記医用画像データを生成し、
前記記憶装置は、前記医用画像データを記憶し、
前記画像表示装置は、前記医用画像生成装置又は前記記憶装置の前記医用画像データの画像実体情報を画像表示し、
前記ネットワークは、前記医用画像生成装置と前記記憶装置と前記画像表示装置を接続することを特徴とする請求項1に記載の画像データ送信システム。
【請求項１３】
医用画像データを生成する医用画像生成装置からネットワークを介して送信される前記医用画像データの画像付帯情報を受信して、受信した画像付帯情報を記憶する画像付帯情報記憶部と、
前記画像付帯情報に基づいて記憶装置に記憶されている医用画像データを、前記ネットワークを介して取得する画像データ取得部と、
を備えたことを特徴とする画像表示装置。
【請求項１４】
生成された医用画像データの画像付帯情報と画像実体情報を記憶装置に送信し、前記記憶装置に送信された画像実体情報を画像表示装置に送信するための画像付帯情報を前記画像表示装置に送信する画像付帯情報送信部を備えたことを特徴とする医用画像生成装置。
【発明の詳細な説明】
【技術分野】
【０００１】
本発明は、画像データ送信システム、画像表示装置、及び医用画像生成装置に係り、詳細には、医用画像生成装置から画像表示装置への医用画像データの転送に関する。
【背景技術】
【０００２】
医療機関ではX線画像診断装置等の医用画像データを生成する各種の医用画像生成装置が被検者の健康状態や疾病の画像診断に利用される。画像診断に用いられた医用画像データはデータベース化されて記憶装置に格納されている。このようなデータベースを含めたシステムは、例えば特許文献1に提案されている。特許文献1の画像データベースシステムには、以下の構成が記載されている。【０００３】
医用画像データを蓄積する記憶装置ユニットと、記憶装置ユニットを管理するコントロールユニットと、記憶装置ユニットに蓄積された医用画像データに関連付けられた属性情報を格納し外部接続された機器との間で医用画像データを中継処理する画像データベースサーバと、画像データベースサーバと外部接続された複数の医用画像生成装置との間でDICOMプロトコルにより医用画像データを中継処理するDICOMゲートウェイとがスイッチを介して相互にネットワーク接続される。この画像データベースシステムにおいて、少なくともコントロールユニットと画像データベースサーバと、DICOMゲートウェイとをそれぞれ複数備えてコントロールユニット群、画像データベースサーバ群、DICOMゲートウェイ群が構成される。
【先行技術文献】
【特許文献】
【０００４】
【特許文献１】国際公開2005/003977号公報
【発明の概要】
【発明が解決しようとする課題】
【０００５】
しかしながら、特許文献1の画像データベースシステムでは、複数の画像データベースサーバを配置するなど医用画像表示装置側での医用画像データの受信処理の負荷が過大となるおそれがあった。医用画像データの受信処理の負荷が過大となれば、医師が医用画像表示用端末で本来行いたい医用画像データの診断に支障が生じる場合があるが、医用画像表示装置側での医用画像データの受信処理の負荷を抑制することは特許文献1において依然として未解決の問題点であった。【０００６】
本発明は、前述した問題点に鑑みてなされたもので、その目的は、医用画像表示装置にかかる受信処理の負荷を軽減することが可能な画像データ送信システム、画像表示装置、及び医用画像生成装置を提供することにある。
【課題を解決するための手段】
【０００７】
上記目的を達成するために本発明は、医用画像生成装置が画像付帯情報と画像実体情報を有する医用画像データをネットワークに送信し、画像表示装置が前記ネットワークに送信された画像付帯情報を受信し、記憶装置が前記ネットワークに送信された画像付帯情報と画像実体情報を受信し、前記画像表示装置の画像データ取得部が前記受信された画像付帯情報を用いて前記記憶装置に前記画像実体情報の送信要求を行い、前記記憶装置の画像データ送信部が前記送信要求された画像付帯情報に対応する画像実体情報をネットワークに送信し、前記画像データ取得部は、前記画像データ送信部から送信された画像実体情報を受信し、受信された画像実体情報と前記画像付帯情報から形成される医用画像データを取得する。
【発明の効果】
【０００８】
本発明により、医用画像表示装置にかかる受信処理の負荷を軽減することが可能な画像データ送信システム、画像表示装置、及び医用画像診断装置を提供ことができる。
【図面の簡単な説明】
【０００９】
【図１】第1の実施の形態の画像データ送信システム1のシステム構成を示す図
【図２】コンピュータの内部構成を示す図
【図３】第1の実施の形態の画像データ送信システム1における画像データ登録時の各装置の処理手順を説明するシーケンス図
【図４】医用画像データのデータ構成について説明する図
【図５】整合性のチェック処理の流れを説明するフローチャート
【図６】画像情報テーブル33のデータ構成の一例を示す図
【図７】画像表示時の医用画像データの読み出し処理の処理手順を説明するシーケンス図
【図８】第2の実施の形態の画像データ送信システム1における画像データ登録時の各装置の処理手順を説明するシーケンス図
【図９】第3の実施の形態の画像データ送信システム1における画像データ登録時の各装置の処理手順を説明するシーケンス図
【図１０】第4の実施の形態の画像データ送信システム1aのシステム構成を示す図
【図１１】第4の実施の形態の画像データ送信システム1aにおける画像データ登録時の各装置の処理手順を説明するシーケンス図
【図１２】画像保管先管理テーブル62のデータ構成の一例を示す図
【図１３】第4の実施の形態における画像情報テーブル33aのデータ構成の一例を示す図
【図１４】第4の実施の形態の画像データ送信システム1aにおける画像表示時の医用画像データの読み出し処理の処理手順を説明するシーケンス図
【図１５】第5の実施の形態の画像データ送信システム1bのシステム構成を示す図
【図１６】第5の実施の形態の画像管理データ送信1bにおける画像データ登録時の各装置の処理手順を説明するシーケンス図
【発明を実施するための形態】
【００１０】
以下図面に基づいて、本発明の実施形態を詳細に説明する。
【００１１】
［第1の実施の形態］
まず、本発明の第1の実施の形態の画像データ送信システム1について説明する。第1の実施の形態では、送信中に医用画像データの整合性を確認しながら医用画像データを送信する例を説明する。
【００１２】
図1は、第1の実施の形態の画像データ送信システム1の構成を説明する装置構成図である。
【００１３】
図1に示すように、画像データ送信システム1は、医用画像データを生成する医用画像生成装置2と、医用画像データを画像表示するための画像表示装置3と、医用画像データを記憶する記憶装置4とがネットワーク5を介して通信接続される。記憶装置4は、医用画像生成装置2及び画像表示装置3から共通にアクセス可能となっている。
【００１４】
医用画像生成装置2は、医療施設内に設置され、患者を撮影(計測)し、医用画像データを生成するための検査装置である。例えば、X線診断装置、X線CT装置、MRI装置、超音波診断装置、PET(Positron Emission Tomography)装置、SPECT(Single Photon Emission Computed Tomography)装置等を含む。医用画像生成装置2の装置構成としては、例えばX線CT装置であれば、患者の撮影や計測を行うスキャナと、スキャナにより計測したデータに基づいて医用画像を生成したり、操作を入力したりするシステム制御装置(コンピュータ)等を備える。本明細書では、スキャナやコンピュータの画像処理部等のように、画像の撮影及び生成に関する構成要素や機能を画像生成部21と呼ぶ。
【００１５】
また、医用画像生成装置2は、生成した医用画像データを一定期間記憶しておく共有フォルダ22と、医用画像データを記憶装置4の所定のストレージ4a、4bに登録するための機能を実現する画像登録機能(画像登録アプリケーション)23とを有する。共有フォルダ22は、例えば医用画像生成装置2の記憶装置(ハードディスク等)に形成される画像保管用の記憶領域である。
【００１６】
なお、本実施の形態では、上述の画像登録機能は、画像登録アプリケーション23としてコンピュータプログラムの形態で医用画像生成装置2のシステム制御装置(コンピュータ)に搭載されるものとする。画像登録アプリケーション23は、コンピュータの制御部(CPU)により読み出され、実行される。画像登録アプリケーション23の詳細については後述する。また、医用画像生成装置2は、医用画像データの画像付帯情報を画像表示装置3にネットワーク5を介して送信する画像付帯情報送信部24を有する。
【００１７】
画像表示装置3は、画像表示の際に用いられるコンピュータである。本実施の形態では、画像表示装置3は、記憶装置4に保管される医用画像データを管理する画像管理機能(画像管理アプリケーション31)と、医用画像生成装置2又は記憶装置4から送信された医用画像データを取得する画像データ取得部34とを備える。
【００１８】
また、画像表示装置3は表示対象とする医用画像データの画像付帯情報、患者情報、検査情報、医用画像生成装置2の情報等を格納するための画像付帯情報記憶部32を有する。また、この画像付帯情報記憶部32内には画像情報テーブル33が格納される。画像情報テーブル33には、例えば、医用画像データの保管先情報とその医用画像データの画像付帯情報(画像ID、検査ID、患者ID等)が記憶される。
【００１９】
上述の画像管理機能や画像表示機能は、例えば画像管理アプリケーション31等のコンピュータプログラムの形態で画像表示装置3に搭載されるものとする。画像管理アプリケーション31は、画像表示装置3の制御部(CPU)により実行される。各アプリケーション(機能)の詳細や、画像情報テーブル33のデータ構成については後述する。
【００２０】
記憶装置4は、医療施設の医用画像生成装置2で生成された医用画像データを永続的に保管する記憶装置である。記憶装置4は、ストレージA4a、ストレージB4b、・・・のように複数の記憶領域を持つようにしてもよい。また、医用画像データの消失に対して耐性を持たせるために、RAID(Redundant Arrays of Inexpensive Disks)等の技術で冗長化されることが望ましい。また、記憶装置4は、ネットワーク5を介して画像表示装置3に医用画像データを送信する画像データ送信部41を有する。
【００２１】
なお、記憶装置4は医用画像生成装置2及び画像表示装置3と同一施設内に配置されることを主な利用形態とするが、必ずしも同一施設内に配置されていなくてもよい。例えば、クラウドコンピューティングと呼ばれる仕組みを利用し、医用画像生成装置2及び画像表示装置3からインターネット等を介してアクセス可能な記憶装置を含むものとしてもよい。
【００２２】
ネットワーク5は、例えば、施設内の専用の通信回線で接続されたLAN(Local Area Network)である。ただし、上述のようにクラウドコンピューティングと呼ばれる仕組みを利用する場合には、インターネット等の公衆の通信回線を含むものとする。ネットワーク5における通信接続は有線、無線を問わない。医用画像生成装置2、画像表示装置3、及び記憶装置4は、ネットワーク5を介して互いにデータを送受信する。
【００２３】
図2に医用画像生成装置2、画像表示装置3、及び記憶装置4として利用されるコンピュータの内部構成を示す。
【００２４】
図2に示すように、コンピュータは、制御部101、記憶部102、入力部103、表示部104、メディア入出力部105、通信I/F106、周辺機器I/F107等が、バス109を介して接続される。但し、図2の例は一般的な例であり、用途、目的に応じて様々な構成を採ることが可能である。
【００２５】
制御部101は、CPU(Central Processing Unit)、ROM(Read Only Memory)、RAM(Random Access Memory)等で構成される。CPUは、記憶部102、ROM、記録媒体等に格納されるプログラムをRAM上のワークメモリ領域に呼び出して実行し、バス109を介して接続された各装置を駆動制御する。ROMは、不揮発性メモリであり、コンピュータのブートプログラムやBIOS等のプログラム、データ等を恒久的に保持している。RAMは、揮発性メモリであり、記憶部102、ROM、記録媒体等からロードしたプログラム、データ等を一時的に保持するとともに、制御部101が各種処理を行う為に使用するワークメモリ領域を備える。
【００２６】
記憶部102は、例えばHDD(ハードディスクドライブ)であり、制御部101が実行するプログラム、プログラム実行に必要なデータ等が格納される。プログラムに関しては、OSに相当する制御プログラムや、後述の各処理に相当する各アプリケーションプログラムが格納されている。これらの各プログラムコードは、制御部101により必要に応じて読み出されてRAMに移され、CPUに読み出されて各種の手段として実行される。
【００２７】
入力部103は、データの入力を行い、例えば、キーボード、マウス等のポインティングデバイス、テンキー等の入力装置を有する。
【００２８】
表示部104は、CRTモニタ、液晶パネル等のディスプレイ装置、ディスプレイ装置と連携してコンピュータのビデオ機能を実現するための論理回路等(ビデオアダプタ等)を有する。
【００２９】
メディア入出力部105は、例えば、フロッピー(登録商標)ディスクドライブ、PDドライブ、CDドライブ、DVDドライブ、MOドライブ等のメディア入出力装置であり、データの入出力を行う。
【００３０】
通信I/F(インタフェース)106は、通信制御装置、通信ポート等を有し、ネットワーク5との通信を媒介する通信インタフェースである。
【００３１】
周辺機器I/F107は、コンピュータに周辺機器を接続させるためのポートである。
バス109は、各装置間の制御信号、データ信号等の授受を媒介する経路である。
【００３２】
次に、図3〜図7を参照しながら、第1の実施の形態の画像データ送信システム1の動作について説明する。
【００３３】
図3は、画像データ送信システム1の各装置における医用画像データの生成、登録、転送、管理に関する処理手順を説明するシーケンス図である。
【００３４】
図3に示すように、まず医用画像生成装置2において医用画像データが生成されると(ステップS101)、医用画像生成装置2の画像生成部21は生成した医用画像データを共有フォルダ22に保存する(ステップS102)。
【００３５】
図4は医用画像データのデータ構成を示す図である。図4に示すように、医用画像データ7は、画像付帯情報71と画像実体情報72とから構成される。
【００３６】
画像付帯情報71は、例えば、どの医用画像生成装置2で撮影したかを識別する「医用画像生成装置ID」、撮影した患者を識別する「患者ID」、どの検査で生成した医用画像データであるかを識別する「検査ID」、医用画像データを一意に識別する「画像ID」等の各種識別情報である。医用画像生成装置IDは、施設内の医用画像生成装置を一意に識別する情報であり、例えば装置メーカ名やシリアル番号等からなる。患者IDは診察券番号等、施設を利用する患者に付与された識別番号等である。検査IDは検査毎に付与される番号やコード等である。画像IDは、医用画像データを一意に識別する情報であり、例えば、医用画像データの撮影日時情報と医用画像生成装置IDとを組み合わせて付与される。複数の医用画像データからなるシリーズ画像であれば、画像毎の画像IDの他、シリーズ画像毎にシリーズIDが付与されるようにしてもよい。
【００３７】
画像実体情報72は、医用画像データ7全体から画像付帯情報71を除いた医用画像データの部分のデータである。すなわち、医用画像データの各画素の画素値データである。
【００３８】
図3のステップS102の処理では、画像生成部21は、画像付帯情報71と画像実体情報72とを含む医用画像データの7全体を共有フォルダ22に記憶する。
【００３９】
医用画像生成装置2の制御部は、画像登録アプリケーション23を実行している。画像登録アプリケーション23では、共有フォルダ22を監視している。医用画像生成装置2の制御部が共有フォルダ22に医用画像データが存在していることを検知すると(ステップS103；Yes)、画像登録アプリケーション23では、共有フォルダ22から医用画像データを読み込み(ステップS104)、読み込んだ医用画像データの画像付帯情報71に基づいて当該医用画像データの保管先を示す画像保管パスを生成する(ステップS105)。例えば、画像登録アプリケーション23は、画像付帯情報71に含まれる「医用画像生成装置ID」、「検査ID」、及び「画像ID」を連結して一意の医用画像データ保管パスを生成する。
【００４０】
その後、医用画像生成装置2の画像登録アプリケーション23は、事前に設定された画像保管先の候補(ストレージA、ストレージB、・・・)から保管先とする記憶装置4を選択し、ステップS105で生成した画像保管パスに対して医用画像データ7を送信する(ステップS106)。
【００４１】
記憶装置4は、医用画像生成装置から医用画像データ7が送信されると、画像保管パスにより指定された保管先に医用画像データ7を記憶する(ステップS107)。
【００４２】
記憶装置4への医用画像データの保管が成功すると、医用画像生成装置2の画像登録アプリケーション23は、医用画像データ7から画像付帯情報71の一部または全部を取り出して登録情報を生成する(ステップS108)。そして、画像付帯情報送信部24は、登録情報を画像表示装置3に送信する(ステップS109)。登録情報には「患者ID」、「検査ID」、「画像ID」等の画像付帯情報が含まれる。
【００４３】
第1の実施の形態では、登録情報として画像付帯情報とともにステップS105で生成した「画像保管パス」を画像表示装置3に送信する。
画像表示装置3は画像管理アプリケーション31を実行している。
【００４４】
画像表示装置3(画像管理アプリケーション31)は、医用画像生成装置2から登録情報を受信すると、まず登録情報の整合性のチェックを行う(ステップS110)。整合性のチェック処理とは、例えば、同じ検査で生成された医用画像データであるにもかかわらず、異なる患者IDとなっている等、登録情報に矛盾がないかを確認するための処理である。整合性のチェック処理において整合性があると判定されると(ステップS111；Yes)、受信した登録情報(「患者ID」、「検査ID」、「画像ID」、「画像保管パス」等を含む情報)を画像表示装置3の画像付帯情報記憶部32の画像情報テーブル33に記憶する(ステップS112)。これにより、記憶装置4に格納された医用画像データ7が画像表示装置3の管理下に置かれることとなる。
【００４５】
図5は画像表示装置3の画像管理アプリケーション31が実行する整合性のチェック処理(ステップS110)の流れを説明するフローチャートである。
【００４６】
図5に示すように、整合性のチェック処理において、まず画像表示装置3の制御部は、受信した登録情報から検査IDを取り出す(ステップS201)。そして、検査IDが新規のものであるか否かを判定する(ステップS202)。ステップS202において、ステップS201で取り出した検査IDと同じ検査IDが画像情報テーブル33に格納されていなければ新規の検査IDであると判定する(ステップS202；Yes)。新規の検査IDである場合は、同じ検査IDで患者IDが不一致となる等の矛盾がないため、そのまま「登録情報は正しい」旨のチェック結果を出力する(ステップS206)。
【００４７】
一方、ステップS201において登録情報から取り出した検査IDが画像情報テーブル33にある場合は、新規検査IDではないと判断し(ステップS202；No)、登録情報の内容を確認する。例えば、ステップS201で登録情報から取り出した検査IDをキーとして画像情報テーブル33を検索し、この検査IDに紐づけられた患者IDを画像情報テーブル33から取得する(ステップS203)。また、登録情報からも患者IDを取り出す(ステップS204)。そして、画像情報テーブル33内の患者IDと登録情報の患者IDとが一致するか否かを確認し(ステップS205)、一致すれば(ステップS205；Yes)、登録情報は正しいというチェック結果を出力する(ステップS206)。画像情報テーブル33内の患者IDと登録情報の患者IDとが一致しない場合は(ステップS205；No)、登録情報は誤りであるというチェック結果を出力する(ステップS207)。
【００４８】
図3の説明に戻る。整合性のチェック処理により、登録情報が正しいと確認されると(ステップS111；Yes)、画像表示装置3の画像管理アプリケーション31は、受信した登録情報を画像付帯情報記憶部32内の画像情報テーブル33に格納する(ステップS112)。
【００４９】
なお、整合性のチェックの結果、登録情報が誤っていると判断された場合(ステップS111；No)は、画像表示装置3の画像管理アプリケーション31はその登録情報に該当する医用画像データの消去指示を画像登録アプリケーション23に送る。画像登録アプリケーション23は、記憶装置4に対して該当する医用画像データ(画像ID)の消去指示を送信する(図3のステップS113)。記憶装置4は消去指示に従って医用画像データを消去する(ステップS114)。
【００５０】
図6は、画像情報テーブル33に格納される登録情報の一例である。
図6に示すように、画像情報テーブル33には例えば「画像ID」、「検査ID」、「患者ID」、「画像保管パス」等が医用画像データ毎に各レコードに格納される。「画像ID」、「検査ID」、「患者ID」は、医用画像データの画像付帯情報71から取り出したものである。これらの画像付帯情報71が当該医用画像データの保管先の情報(画像保管パス)と対応付けられて画像情報テーブル33に格納される。
【００５１】
なお、図6の例では、画像表示装置3の画像情報テーブル33に登録される登録情報の画像付帯情報は「画像ID」、「検査ID」、「患者ID」の3つを例示しているが、これに限定されない。画像付帯情報として「医用画像生成装置ID」や「シリーズID」等のその他の付帯情報を含めるようにしてもよい。これにより画像検索時の絞り込みが容易となる。
【００５２】
画像表示装置3内には、画像実体情報72を格納しないが、画像情報テーブル33に各画像の画像付帯情報や保管先情報がデータベース化されて記録されている。そのため、画像表示時には画像情報テーブル33を参照して、所望の画像実体情報72を記憶装置4より取得することができる。
【００５３】
図7は、画像表示装置3における画像表示時の医用画像データの読み出し処理の手順を説明するシーケンス図である。
【００５４】
画像表示時には、画像表示装置3の制御部(画像管理アプリケーション31)は表示された医用画像データの検索画面を表示部に表示し、医用画像データの検索条件の入力を受けつける(ステップS301)。例えば、患者ID等が検索キーとして入力されると、画像表示装置3の制御部は、画像情報テーブル33から検索キーに該当する全医用画像データの画像保管パスを取得し、リスト表示する(ステップS302)。また、リスト表示された画像保管パスの中から更に条件の絞り込み等が繰り返され、医用画像データが選択される。そして画像表示装置3は、選択された医用画像データの画像保管パスを含む画像データ取得要求(画像データ送信要求)を記憶装置4に送信する(ステップS303)。記憶装置4の画像データ送信部41は、画像データ取得要求に従って医用画像データ7を読み出し、画像表示装置3に送信する(ステップS304)。
【００５５】
画像表示装置3は、記憶装置4から医用画像データ7の画像実体情報72を受信すると(ステップS305)、受信した医用画像データ7の画像実体情報72を表示部に表示する(ステップS306)。その後、画像表示装置3の制御部は操作者の操作に従って、表示した医用画像データの読影を開始可能な状態とする。画像表示装置3は、操作者により入力される指示に従って、読影処理を行う(ステップS307)。
【００５６】
以上説明したように、本発明の第1の実施の形態の画像データ送信システム1によれば、画像付帯情報と画像実体情報を有する医用画像データをネットワーク5に送信する医用画像生成装置2と、ネットワーク5に送信された画像付帯情報を受信する画像表示装置3と、ネットワーク5に送信された画像付帯情報と画像実体情報を受信する記憶装置4と、画像表示装置3に設けられ、前記受信された画像付帯情報を用いて記憶装置4に前記画像実体情報の送信要求を行って、送信要求に従ってネットワーク5に送信された画像実体情報を受信し、受信された画像実体情報と前記画像付帯情報から形成される医用画像データを取得する画像データ取得部34と、記憶装置4に設けられ、前記送信要求された画像付帯情報に対応する画像実体情報をネットワーク5に送信する画像データ送信部41と、を備えるので、容量の大きい画像実体情報72は記憶装置4に格納され、画像付帯情報や医用画像データの保管先情報を画像表示装置3で管理できるため、画像実体情報72を受信するタイミングを操作者が自由に決定できる。そのため、画像表示装置3において画像表示処理を行っている途中で医用画像データ7が送信されるといった画像表示装置3の処理負荷を増大させることがなくなる。
【００５７】
［第2の実施の形態］
次に、図8を参照して本発明の第2の実施の形態の画像データ送信システム1について説明する。第2の実施の形態では、医用画像生成装置で予め医用画像データの整合性を確認してから医用画像データを送信する例を説明する。
【００５８】
なお、第2の実施の形態の画像データ送信システム1の装置構成は、図1に示すように第1の実施の形態の画像データ送信システム1と同様である。以下の説明では、第1の実施の形態において説明した各構成要素と同一のものには同一の符号を付し、重複する説明を省略する。
【００５９】
第2の実施の形態の画像データ送信システム1は、第1の実施の形態の画像データ送信システム1と比較して、整合性のチェックの処理タイミングが異なる。
【００６０】
図8は、第2の実施の形態の画像管理システム1における処理手順を説明するシーケンス図である。
【００６１】
図8に示す処理手順のステップS401〜ステップS404は第1の実施の形態におけるステップS101〜ステップS104の処理手順と同様である。
【００６２】
すなわち、まず医用画像生成装置2において医用画像データが生成されると(ステップS401)、医用画像生成装置2の画像生成部21は共有フォルダ22へ生成した医用画像データを記憶する(ステップS402)。医用画像生成装置2の制御部は、画像登録アプリケーション23を実行しており、共有フォルダ22を所定のタイミングで監視している。共有フォルダ22に医用画像データが存在していることを検知すると(ステップS403；Yes)、共有フォルダ22から医用画像データを読み込む(ステップS404)。
【００６３】
第2の実施の形態では、この段階で整合性のチェック処理を行う。医用画像生成装置2の制御部は、医用画像データ7の画像付帯情報71から「患者ID」及び「検査ID」を取り出して整合性確認用の情報を生成し、画像表示装置3に送信する(ステップS405)。
【００６４】
画像表示装置3では、整合性確認用の情報(患者ID、検査ID)を受信すると、図5に示す整合性のチェック処理と同様の手順で整合性を確認し、結果(正しい、または誤り)を医用画像生成装置2に送信する(ステップS406)。
【００６５】
ステップS406の整合性のチェック処理により整合性がないと確認された場合は(ステップS407；No)、医用画像データ7の保管等は行われず、次の医用画像データの処理への移行がなされる。
【００６６】
一方、整合性があると確認された場合は(ステップS407；Yes)、第1の実施の形態のステップS105〜ステップS109と同様に、画像保管パスを生成し(ステップS408)、記憶装置4の指定された画像保管パスに対して医用画像データ7を送信し(ステップS409)、記憶装置4に医用画像データ7を記憶する(ステップS410)。
【００６７】
記憶装置4への医用画像データ7の記憶が成功すると、医用画像生成装置2の画像登録アプリケーション23は、図3のステップS108と同様に、「検査ID」、「画像ID」、「画像保管パス」等の画像付帯情報を含む登録情報を生成し(ステップS411)、登録要求とともに画像表示装置3に送信する(ステップS412)。
【００６８】
ステップS406の処理により、すでに整合性は確認されているため、画像表示装置3は受信した登録情報を画像情報テーブル33に登録する(ステップS413)。
【００６９】
以上説明したように、本発明の第2の実施の形態では、記憶装置4に医用画像データを転送する前に、その医用画像データに付与されている画像付帯情報の整合性が確認される。このため、同一検査であるにもかかわらず患者IDが異なる等、既登録の医用画像データと整合性のない医用画像データについては、記憶装置4への転送及び画像情報テーブル33への登録が行われないため、第2の実施の形態によれば、第1の実施の形態に比べて更に処理が簡素となる。
これにより、ネットワーク5のトラフィック軽減にも寄与できる。
【００７０】
［第3の実施の形態］
次に、図9を参照して本発明の第3の実施の形態の医用画像データ送信システム1について説明する。第3の実施の形態では、医用画像データの整合性を確認した結果、誤って登録した医用画像データを記憶装置より削除する例を説明する。
【００７１】
なお、第3の実施の形態の画像データ送信システム1の装置構成は、図1に示す第1の実施の形態の画像データ送信システム1と同様である。以下の説明では、第1の実施の形態において説明した各構成要素と同一のものには同一の符号を付し、重複する説明を省略する。
【００７２】
上述したように、第1の実施の形態の画像データ送信システム1では、医用画像生成装置2において医用画像データを生成すると、生成した医用画像データを共有フォルダ22に記憶し、画像登録アプリケーション23が共有フォルダ22から画像を読み出して、医用画像データの登録に関する処理を実行する手順とした。共有フォルダ22に医用画像データを保存するのは、例えば記憶装置4への医用画像データの転送が失敗した場合等に備える目的がある。そのため、共有フォルダ22には数時間〜数日間医用画像データが保存されることとなる。そして記憶装置4への記憶が成功した場合は共有フォルダ22内の医用画像データは消去される。つまり、共有フォルダ22への医用画像データの記憶とその消去が繰り返し行われ、記憶装置(ハードディスク等)の負担が大きく故障の原因となりかねない。
【００７３】
そこで、第3の実施の形態の画像データ送信システム1は、共有フォルダ22に医用画像データを保存せず、医用画像生成装置2は医用画像データ生成後、画像登録アプリケーション23に直接医用画像データを渡す。そして、記憶装置4に医用画像データ7を記憶させ、記憶装置4への医用画像データの記憶が成功した段階で撮影完了とする手順とする。
【００７４】
図9は、第3の実施の形態の画像データ送信システム1における処理手順を説明するシーケンス図である。
【００７５】
図9に示すように、まず医用画像生成装置2において医用画像データが生成されると(ステップS501)、医用画像生成装置2の画像生成部21は生成した医用画像データを共有フォルダ22に保存せず、画像登録アプリケーション23に渡す(ステップS502)。
【００７６】
医用画像生成装置2の制御部は、画像登録アプリケーション23を実行している。画像登録アプリケーション23は医用画像データを受け取ると、第1の実施の形態のステップS105〜ステップS114と同様の処理を行う。
【００７７】
すなわち、医用画像生成装置2の画像登録アプリケーション23は、画像保管パスを生成し(ステップS503)、記憶装置4を選択して画像保管パスに対して医用画像データ7を送信する(ステップS504)。記憶装置4は、医用画像生成装置2から受信した医用画像データ7を指定された画像保管パスに記憶する(ステップS505)。記憶装置4への医用画像データの保管が成功すると、医用画像生成装置2の画像登録アプリケーション23は、図3のステップS108と同様に「患者ID」、「検査ID」、「画像ID」、「画像保管パス」等を含む登録情報を生成し(ステップS506)、登録要求とともに画像表示装置3に送信する(ステップS507)。
【００７８】
画像表示装置3は、第1の実施の形態と同様に画像管理アプリケーション31を実行している。
【００７９】
画像表示装置3(画像管理アプリケーション31)は、医用画像生成装置2の画像登録アプリケーション23から登録情報を受信すると、まず、図5に示す整合性のチェック処理と同様の手順で医用画像データの整合性のチェックを行う(ステップS508)。登録情報の整合性が確認されると(ステップS509；Yes)、画像管理アプリケーション31は、登録可能と判定して受信した登録情報(「患者ID」、「検査ID」、「画像ID」、「画像保管パス」等を含む情報)を画像表示装置3の記憶装置内にある画像付帯情報記憶部32の画像情報テーブル33に記憶する(ステップS510)。これにより、記憶装置4に格納された医用画像データ7が画像表示装置3の管理下に置かれることとなる。
【００８０】
整合性のチェックの結果、登録情報が誤っていると判定された場合は(ステップS509；No)、画像表示装置3の画像管理アプリケーション31は登録情報に該当する医用画像データの消去指示を画像登録アプリケーション23に送る。画像登録アプリケーション23は、記憶装置4に対して該当する画像IDの医用画像データの消去指示を送信する(ステップS511)。記憶装置4は消去指示に従って医用画像データを消去する(ステップS512)。
【００８１】
以上説明したように、第3の実施の形態の画像データ送信システム1によれば、第1の実施の形態の効果に加え、医用画像生成装置2において、画像生成部21から共有フォルダ22への保管処理(図3のステップS102)と、画像登録アプリケーション23による共有フォルダ22の監視及び画像取得処理(ステップS103、ステップS104)を省略することができる。そのため、医用画像生成装置2における画像生成後の処理時間が短縮される。また、第1の実施の形態のように共有フォルダ22に一旦医用画像データを保管する場合は、共有フォルダ22として使用する記憶装置にデータ消失を防ぐための処置が必要となるが、第3の実施の形態では、記憶装置4に保管が完了するまで撮影が完了したことにはならないため、データ消失を防ぐ処置が必要なくなる。
【００８２】
また、共有フォルダ22(ハードディスク等)に一旦医用画像データを保管して削除することを繰り返し行う必要がなくなる。したがって、装置内のハードディスク等の破損の可能性をより小さくできる。
【００８３】
［第4の実施の形態］
次に、図10〜図14を参照して、本発明の第4の実施の形態の画像データ送信システム1aについて説明する。第4の実施の形態では、画像管理用端末を構成に加えて医用画像データの保存先が変更されても、変更された保存先を画像管理用端末が管理する例を説明する。
【００８４】
図10に示すように、第4の実施の形態の画像データ送信システム1aの装置構成は、図1に示す第1の実施の形態の画像データ送信システム1の装置構成に、画像管理用端末6を加えたものである。
【００８５】
すなわち、第4の実施の形態の画像データ送信システム1aは、医用画像データ7を生成する医用画像生成装置2と、医用画像データを表示するための画像表示装置3aと、医用画像データ7を記憶する記憶装置4と、上述の画像管理用端末6とがネットワーク5を介して通信接続される。
【００８６】
画像表示装置3aは、画像管理アプリケーション31a、画像付帯情報記憶部32、画像情報テーブル33a、画像データ取得部34を有する。
【００８７】
画像管理アプリケーション31aは、記憶装置4から医用画像データを読み出す際の処理の手順が第1の実施の形態と異なる(図14参照)。
【００８８】
また、画像情報テーブル33aは第1の実施の形態の画像情報テーブル33とはデータ内容が異なる(図13参照)。
【００８９】
以下の説明では、第1の実施の形態において説明した各構成要素と同一のものには同一の符号を付し、重複する説明を省略する。
【００９０】
画像管理用端末6は、第1の実施の形態において画像表示装置3側で管理していた医用画像データの情報(画像情報テーブル33)のうち、医用画像データの保管先情報を専用に管理する端末である。図10に示すように、画像管理用端末6は保管先管理機能(保管先管理アプリケーション61)と画像保管先管理テーブル62と画像保管先応答部63を備える。
【００９１】
なお、本実施の形態では、上述の保管先管理機能は、保管先管理アプリケーション61としてコンピュータプログラムの形態で画像管理用端末6に搭載されるものとする。保管先管理アプリケーション61は、コンピュータ(画像管理用端末6)の制御部(CPU)により実行される。
【００９２】
第4の実施の形態の画像データ送信システム1aでは、医用画像データの保管先情報(画像保管パス)を画像表示装置3aではなく画像管理用端末6にて管理する。具体的な処理手順を図11に示す。
【００９３】
図11に示す処理手順のステップS601〜ステップS607は第1の実施の形態の画像データ送信システム1(図3のステップS101〜ステップS107の処理手順)と同様である。すなわち、まず医用画像生成装置2において医用画像データが生成されると(ステップS601)、医用画像生成装置2の画像生成部21は生成した医用画像データを共有フォルダ22に記憶する(ステップS602)。医用画像生成装置2が実行する画像登録アプリケーション23では、共有フォルダ22を監視している。共有フォルダ22に医用画像データが存在していることを検知すると(ステップS603；Yes)、画像登録アプリケーション23は、共有フォルダ22から医用画像データを読み込む(ステップS604)。更に、画像登録アプリケーション23では、画像付帯情報71に基づいて当該医用画像データの画像保管パスを生成する(ステップS605)。例えば、画像登録アプリケーション23は、画像付帯情報71に含まれる「医用画像生成装置ID」、「検査ID」、及び「画像ID」を連結して一意の画像保管パスを生成する。
【００９４】
その後、医用画像生成装置2の画像登録アプリケーション23は、事前に設定された画像保管先の候補(ストレージA、ストレージB、・・・)から保管先の記憶装置4を選択し、ステップS605で生成した画像保管パスに対して医用画像データ7を送信する(ステップS606)。
【００９５】
記憶装置4は、医用画像生成装置2から医用画像データ7が送信されると、指定された画像保管先に医用画像データ7を記憶する(ステップS607)。
【００９６】
記憶装置4への医用画像データの保管が成功すると、医用画像生成装置2の画像登録アプリケーション23は、ステップS605で生成した画像保管パスを画像IDとともに画像保管先情報として画像管理用端末6に送信する(ステップS608)。
【００９７】
画像管理用端末6は、保管先管理アプリケーション61により医用画像生成装置2から送信される画像保管先情報の受信を監視している。医用画像生成装置2から画像保管先情報を受信すると、画像管理用端末6は、受信した画像保管先情報を画像保管先管理テーブル62に登録する。
【００９８】
図12は、画像保管先管理テーブル62に格納されるデータの一例を示す図である。図12に示すように、画像保管先管理テーブル62には、画像IDと画像保管パスとが対応付けて格納される。
【００９９】
これにより、画像IDをキーとして医用画像データの保管先を検索することが可能となる。
【０１００】
次に、医用画像生成装置2の画像登録アプリケーション23は、第1の実施の形態のステップS108〜ステップS114(図3)と同様に、登録情報を生成し(ステップS610)、生成した登録情報を画像表示装置3aに送信する(ステップS611)。
【０１０１】
なお、第4の実施の形態では、登録情報は医用画像データの付帯情報(「患者ID」、「検査ID」、「画像ID」)のみとし、画像保管パスを含まないものとする。画像保管パスは画像管理用端末6で管理するからである。
【０１０２】
画像表示装置3a(画像管理アプリケーション31a)は、医用画像生成装置2の画像登録アプリケーション23から登録情報を受信すると、まず登録情報の整合性をチェックする(ステップS612)。整合性のチェックは、第1の実施の形態と同様に、例えば図5の手順で行われる。
【０１０３】
登録情報の整合性があると判定されると(ステップS613；Yes)、画像表示装置3aは、受信した登録情報(「医用画像生成装置ID」、「検査ID」、「画像ID」、「画像保管パス」等)を画像表示装置3の記憶装置内にある画像付帯情報記憶部32の画像情報テーブル33aに記憶する(ステップS614)。
【０１０４】
図13は、第4の実施の形態の画像表示装置3aにおける画像情報テーブル33aに登録されるデータの一例である。図13に示すように、画像情報テーブル33aには、「患者ID」、「検査ID」、「画像ID」等の画像付帯情報が登録され、画像保管パスが登録されないものとする。
【０１０５】
整合性のチェックの結果、登録情報が誤っていると判断された場合は(ステップS613；No)、画像表示装置3aの画像管理アプリケーション31aは登録情報に該当する医用画像データの消去指示を画像登録アプリケーション23に送る。画像登録アプリケーション23は、記憶装置4に対して該当する医用画像データ(画像ID)の消去指示を送信する(ステップS615)。記憶装置4は消去指示に従って医用画像データを消去する(ステップS616)。
【０１０６】
第4の実施の形態では、画像表示装置3が画像表示処理を行う際は、画像表示装置3は画像管理用端末6に対して医用画像データの保管先を問い合わせ、取得した保管先情報に基づいて記憶装置4から医用画像データ7を取得する。
【０１０７】
第4の実施の形態における読影時の医用画像データの読み出し処理について、図14を参照して説明する。
【０１０８】
医用画像データを読み出す際は、画像表示装置3aの制御部(画像管理アプリケーション31a)は表示された医用画像データの検索画面を表示部に表示し、医用画像データの検索条件の入力を受け付ける(ステップS701)。例えば、患者ID等が検索キーとして入力されると、制御部は画像情報テーブル33aから検索キーに該当する全医用画像データの画像IDを取得し(ステップS702)、リスト表示する。また、制御部はリスト表示された画像IDの中から更に条件の絞り込みを繰り返し、所望の画像IDを選択する。そして画像表示装置3aは、選択された画像IDに対応する医用画像データの保管先を画像管理用端末6に対して問い合わせる(ステップS703)。
【０１０９】
画像管理用端末6は、保管先管理アプリケーション61を実行している。
画像管理用端末6の画像保管先応答部63は、画像表示装置3aから画像保管先問い合わせを受信すると、画像保管先管理テーブル62から対応する画像IDの画像保管パスを読み出し、要求元の画像表示装置3aに送信(応答)する(ステップS704)。
【０１１０】
次に画像表示装置3aは、画像管理用端末6から取得した画像保管パスを含む画像取得要求を記憶装置4に送信する(ステップS705)。記憶装置4は、画像取得要求に従って該当する医用画像データ7を読み出し、画像データ送信部41は、医用画像データ7を画像表示装置3aに送信する(ステップS706)。
【０１１１】
画像表示装置3aは、記憶装置4から医用画像データ7を受信すると(ステップS707)、受信した医用画像データを表示部に画像表示する(ステップS708)。その後、画像表示装置3の制御部は操作者の操作に従って、表示した医用画像データの読影を開始可能な状態とする。画像表示装置3aは、操作者により入力される指示に従って、読影処理を行う(ステップS709)。
【０１１２】
以上説明したように、本発明の第4の実施の形態の画像データ送信システム1aでは、医用画像データの保管先情報が画像表示装置3aにおける管理情報から分離され、画像管理用端末6にて管理される。そのため、例えば、記憶装置4の故障や増設等のために医用画像データ7を他の記憶装置4に移動するような場合に、画像管理用端末6で情報変更の処理を行えばよい。したがって画像表示装置3a内に記憶されている画像情報テーブル33aの情報を変更する必要がなくなる。これにより、医用画像データ7の保管先を移動する場合に、画像表示装置3aに処理負荷がかかることがない。よって第4の実施の形態によれば、画像表示処理の妨げになることがなく、医用画像データの表示を通常通りに円滑に行うことができる。
【０１１３】
なお、上述の説明では、整合性を確認するタイミングを第1の実施の形態と同様に、医用画像データ7を記憶装置4に送信した後に行うようにしたが、これに限定されない。例えば、第2の実施の形態に示すように、医用画像データ7を記憶装置4に送信する前に整合性を確認するようにしてもよい。
【０１１４】
また、上述の説明では、医用画像生成装置2は生成した医用画像データを共有フォルダ22に保管した上で、医用画像データ7の記憶装置4への転送や画像表示装置に対する登録情報の登録要求を行うものとしたが、第3の実施の形態のように共有フォルダ22に保管せず、直接記憶装置4に医用画像データ7を記憶し、保管成功した後に、画像管理用端末6内の画像保管先管理テーブル62に画像保存先情報を登録し、各画像表示装置3に対して登録情報の登録要求を送信するようにしてもよい。
【０１１５】
［第5の実施の形態］
次に、図15及び図16を参照して、本発明の第5の実施の形態の画像データ送信システム1bについて説明する。第5の実施の形態では、画像表示装置を複数台有した場合の医用画像データを送信する例を説明する。
【０１１６】
図15に示すように、第5の実施の形態の画像データ送信システム1bは、第1の実施の形態の画像データ送信システム1における医用画像生成装置2の機能を拡張するとともに、複数の画像表示装置3、3、・・・に対して登録情報を送信することができるようにする。すなわち、第5の実施の形態の画像データ送信システム1bは、医用画像データを生成する医用画像生成装置2bと、複数の画像表示装置3、3、・・・と、医用画像データ7を記憶する記憶装置4とがネットワーク5を介して通信接続される。なお以下の説明では、第1の実施の形態において説明した各構成要素と同一のものには同一の符号を付し、重複する説明を省略する。
【０１１７】
第5の実施の形態の医用画像生成装置2bは、第1の実施の形態と同様に画像生成部21、共有フォルダ22、画像登録アプリケーション23、画像付帯情報送信部24を有する。また、これに加え、医用画像生成装置2b用の画像管理アプリケーション25、及び画像付帯情報記憶部26を有する。画像付帯情報記憶部26には画像情報テーブル27が格納される。
【０１１８】
各画像表示装置3及び記憶装置4の構成は、それぞれ第1の実施の形態の画像表示装置3及び記憶装置4と同様である。
【０１１９】
第5の実施の形態において、医用画像生成装置2bは自装置で生成した医用画像データについて、画像付帯情報(第1の実施の形態等における登録情報：患者ID、検査ID、画像ID、及び画像保管パスを含む)を管理する。また、医用画像生成装置2bは、複数の画像表示装置3、3、・・・に対して、登録情報を送信できるようにする。
【０１２０】
図16は、第5の実施の形態の画像データ送信システム1bにおける処理手順を説明するシーケンス図である。
【０１２１】
図16に示す処理手順のステップS801〜ステップS808は第1の実施の形態の画像処理システム1(図3のステップS101〜ステップS108の処理手順)と同様である。
【０１２２】
すなわち、まず医用画像生成装置2bにおいて医用画像データが生成されると(ステップS801)、医用画像生成装置2bの画像生成部21は共有フォルダ22へ生成した医用画像データを記憶する(ステップS802)。医用画像生成装置2bの制御部は、画像登録アプリケーション23を実行し、共有フォルダ22を所定のタイミングで監視している。共有フォルダ22に医用画像データが存在していることを検知すると(ステップS803；Yes)、画像登録アプリケーション23は共有フォルダ22から画像データを読み込み(ステップS804)、医用画像データの画像付帯情報71に基づいて当該画像データの保管先を示す画像保管パスを生成する(ステップS805)。
【０１２３】
その後、医用画像生成装置2bの画像登録アプリケーション23は、事前に設定された画像保管先の候補(ストレージA、ストレージB、・・・)から保管先の記憶装置4を選択し、ステップS805で生成した画像保管パスに対して医用画像データ7を送信する(ステップS806)。
【０１２４】
記憶装置4は、医用画像生成装置2bから医用画像データ7が送信されると、画像保管パスにより決定された保管先に医用画像データ7を記憶する(ステップS807)。
【０１２５】
記憶装置4への医用画像データの保管が成功すると、医用画像生成装置2bの画像登録アプリケーション23は、医用画像データの登録情報を生成する(ステップS808)。
【０１２６】
第5の実施の形態では、ここで、画像登録アプリケーション23がステップS808で生成した登録情報を自装置(医用画像生成装置2b)の画像管理アプリケーション25に渡す。医用画像生成装置2bの画像管理アプリケーション25は、受け取った登録情報について整合性のチェック処理を行う(ステップS809)。整合性のチェック処理は、第1の実施の形態(図5参照)と同様である。
【０１２７】
医用画像生成装置2bにおける登録情報の整合性のチェック処理において、整合性があると判定されると(ステップS810；Yes)、医用画像生成装置2bの画像管理アプリケーション25は受け取った登録情報を登録可能と判断して、登録情報(「患者ID」、「検査ID」、「画像ID」、「画像保管パス」等を含む情報)を医用画像生成装置2bの記憶装置内にある画像付帯情報記憶部26の画像情報テーブル27に記憶する(ステップS811)。これにより、記憶装置4に格納された医用画像データ7が医用画像生成装置2bの管理下に置かれることとなる。
【０１２８】
次に、医用画像生成装置2bの画像登録アプリケーション23は、ネットワーク5に接続されている各画像表示装置3、3、・・・に対して、ステップS808で生成した登録情報を送信する(ステップS812)。
【０１２９】
各画像表示装置3における処理は第1の実施の形態と同様である。
すなわち、各画像表示装置3は画像管理アプリケーション31を実行している。
【０１３０】
各画像表示装置3(画像管理アプリケーション31)は、医用画像生成装置2bの画像登録アプリケーション23から画像登録要求を受信すると、まず登録情報の整合性のチェックを行い(ステップS813)、整合性が判定されると(ステップS814；Yes)、登録可能と判断して受信した登録情報(「患者ID」、「検査ID」、「画像ID」、「画像保管パス」等を含む情報)を画像表示装置3の記憶装置内にある画像付帯情報記憶部32の画像情報テーブル33に記憶する(ステップS815)。これにより、記憶装置4に格納された医用画像データ7が画像表示装置3の管理下に置かれることとなる。
【０１３１】
なお、ステップS809及びステップS813の整合性のチェックの結果、登録情報が誤っていると判断された場合は(ステップS810；No、或いはステップS814；No)、医用画像生成装置2b(或いは画像表示装置3)の画像管理アプリケーション25、31は登録情報に該当する医用画像データの消去指示を画像登録アプリケーション23に送る。画像登録アプリケーション23は、記憶装置4に対して該当する医用画像データの消去指示を送信する(ステップS816)。記憶装置4は消去指示に従って医用画像データを消去する(ステップS817)。
【０１３２】
以上の処理によって、医用画像生成装置2bで生成した医用画像データ7は、記憶装置4に保管される。また医用画像データ7の保管先情報と医用画像データの付帯情報は、医用画像生成装置2bにて管理されると共に、複数の画像表示装置3、3、・・・に送信されて管理される。
【０１３３】
したがって、画像データ送信システム1bに含まれるすべての画像表示装置3と医用画像生成装置2bに、同一の画像付帯情報及び保管先情報が登録されることとなる。
【０１３４】
以上説明したように、本発明の第5の実施の形態の画像データ送信システム1bによれば、第1の実施の形態の効果に加え、いずれかの画像表示装置3が故障等で使用できなくなった場合でも、他の画像表示装置3や医用画像生成装置2bから画像データの保管先情報を取得することができ、災害時などの場合でも混乱なく運用を続けることが可能となる。
【０１３５】
なお、上述の説明では、整合性を確認するタイミングを第1の実施の形態と同様に、医用画像データ7を記憶装置4に送信した後に行うようにしたが、これに限定されない。例えば、第2の実施の形態に示すように、医用画像データ7を記憶装置4に送信する前に整合性を確認するようにしてもよい。
【０１３６】
また、第3の実施の形態のように共有フォルダ22に保管せず、直接記憶装置4に医用画像データ7を記憶し、保管成功した後に、医用画像生成装置2b内の画像情報テーブル27に登録情報を登録し、各画像表示装置3に対して登録情報の登録要求を送信するようにしてもよい。
【０１３７】
以上、添付図面を参照しながら、本発明に係る画像データ送信システム等の好適な実施形態について説明したが、本発明はかかる例に限定されない。例えば、画像保管パスの生成方法や登録情報に含まれる情報の内容等は一例であり、各種の変更例を含むものとする。その他、当業者であれば、本願で開示した技術的思想の範疇内において、各種の変更例又は修正例に想到し得ることは明らかであり、それらについても当然に本発明の技術的範囲に属するものと了解される。
【符号の説明】
【０１３８】
1、1a、1b  画像データ送信システム、2、2b  医用画像生成装置、21  画像生成部、22  共有フォルダ、23  画像登録アプリケーション、24  画像付帯情報送信部、25  画像管理アプリケーション、26  画像付帯情報記憶部、27  画像情報テーブル、3  画像表示装置、31、31a  画像管理アプリケーション、32  画像付帯情報記憶部、33、33a  画像情報テーブル、34  画像データ取得部、4  記憶装置、41  画像データ送信部、5  ネットワーク、6  画像管理用端末、61  保管先管理アプリケーション、62  画像保管先管理テーブル、7  医用画像データ、71  画像付帯情報、72  画像実体情報
【図１】
2014097950.tif 000003
【図２】
2014097950.tif 000004
【図３】
2014097950.tif 000005
【図４】
2014097950.tif 000006
【図５】
2014097950.tif 000007
【図６】
2014097950.tif 000008
【図７】
2014097950.tif 000009
【図８】
2014097950.tif 000010
【図９】
2014097950.tif 000011
【図１０】
2014097950.tif 000012
【図１１】
2014097950.tif 000013
【図１２】
2014097950.tif 000014
【図１３】
2014097950.tif 000015
【図１４】
2014097950.tif 000016
【図１５】
2014097950.tif 000017
【図１６】
2014097950.tif 000018
【国際調査報告】
2014097950.tif 000019
2014097950.tif 000020
2014097950.tif 000021